(57)【要約】【課題】支持梁の組み付け作業を簡単に行うことができる自動販売機を提供すること。【解決手段】前面が開口した自動販売機本体（１０）の内部に設けられ、一方の側壁の前端部に化粧枠Ｋが配設された商品収容室２５と、商品収容室２５の内部に架設された商品収納ラック（４０）と、商品収容室２５の側壁間に架け渡された態様で組み付けられ、商品収納ラックを支持するための支持梁８０とを備えた自動販売機において、支持梁８０を化粧枠Ｋが配設された一方の側壁に差し込んだ状態で組み付けるようにしたものである。【選択図】        図１１
2006350857.tif 000002
【特許請求の範囲】
【請求項１】
前面が開口した自動販売機本体の内部に設けられ、一方の側壁の前端部に化粧枠が配設された商品収容室と、
商品収容室の内部に架設された商品収納ラックと、
商品収容室の側壁間に架け渡された態様で組み付けられ、前記商品収納ラックを支持するための支持梁と
を備えた自動販売機において、
前記支持梁を前記化粧枠が配設された一方の側壁に差し込んだ状態で組み付けるようにしたことを特徴とする自動販売機。
【請求項２】
前記支持梁は、商品収納ラックの下端部前面に対向し、該下端部前面に締結するための基部と、前記基部の一側端に連続して形成され、前記化粧枠が配設された一方の側壁に差し込むための差込片とを備えたことを特徴とする請求項１に記載の自動販売機。
【請求項３】
前記支持梁は、前記商品収容室の他方の側壁に配設された係止部材と係合する係合片を備えたことを特徴とする請求項１又は請求項２に記載の自動販売機。
【発明の詳細な説明】
【技術分野】
【０００１】
本発明は、自動販売機に関し、より詳細には、商品収容庫の内部のそれぞれの室に架設された商品収納ラックを支持する構造に工夫を施した自動販売機に関する。
【背景技術】
【０００２】
缶入り飲料やペットボトル入り飲料等の商品を販売する自動販売機においては、前面が開口した自動販売機本体の内部に断熱構造の商品収容庫が設けられている。この商品収容庫においては、複数の断熱仕切板に仕切られて複数の室（商品収容室）が左右に並んだ態様で画成されている。これら複数の室の内部には、商品を収納するための商品収納ラックが設けられており、商品収容庫のそれぞれの室の内部雰囲気を加熱、若しくは冷却することによって商品収納ラックに収納させた商品を所望の温度状態に維持するようにしている。例えばホット飲料を販売する場合には、商品収容庫の内部をヒータにより５５℃程度に加熱する一方、コールド商品を販売する場合には、商品収容庫の内部を冷却ユニットにより５℃程度に冷却しており、利用者の選択した商品をそれぞれ最適販売温度で提供するようにしている。
【０００３】
商品収納ラック４００は、図１６に示すように、例えばサーペンタイン式のラックであり、一対の側板４１０と、これら側板４１０の間に上下方向に延在する蛇行状の商品収納域（図示せず）を画成する湾曲形状の案内部材４２０と、商品収納域に連ねた商品ローディング用のトップトレイ４４０と、商品収納域の下端に配設したベンド機構（図示せず）と、ベンド機構に対向する通路規制板４５０とを備えて構成されている。このような商品収納ラック４００は、側板４１０の上端部に設けた取付金具４６０を介して、自動販売機本体の上壁に敷設した支持レール部材（図示せず）に吊り下げられた状態で係止されている。
【０００４】
また、図１７に示すように、商品収納ラック４００の下端部の前面には、固定金具４９０が取り付けてある。かかる固定金具４９０の前面には、支持梁８００が商品収容庫のそれぞれの室２５０の側壁２５０ａ，２５０ｂの間に架け渡された状態で組み付けてある。より詳細に説明すると、支持梁８００は、固定金具４９０に対向する基部８１０と、該基部８１０の両側端に連続して形成された係合片８３０とを有して成る。係合片８３０は、基部８１０の両端から下方に延設された下延部８６０と、この下延部８６０の先端から後方に延設された後延部８７０と、この後延部８７０の先端から上方に延設された上延部８８０とが連続して形成されて構成されている。
【０００５】
その一方、商品収容庫における各室２５０の両側壁２５０ａ，２５０ｂの内表面の所定個所には、係止部材９００が配設されている。係止部材９００は、各側壁２５０ａ，２５０ｂの内表面から突出した態様で前後方向に貫通する係止孔を有してなるものである。
【０００６】
係合片８３０の後延部８７０及び上延部８８０を、係止部材９００の係止孔に前方から挿通させ、その状態を維持して支持梁８００を上方に移動させて係合させることにより、支持梁８００は、商品収容庫のそれぞれの室２５０の側壁２５０ａ，２５０ｂの間に架け渡された状態で組み付けられている。
【０００７】
そして、支持梁８００の基部８１０を商品収納ラック４００の固定金具４９０に締結ネジＳにより締結させることにより、商品収納ラック４００は、上部にて吊り下げ支持されるとともに、下部にて左右、前後の振れ止めがなされた状態で、商品収容庫の内部に架設されている（例えば、特許文献１参照）。
【０００８】
【特許文献１】特開２００５−７８２１８号公報
【発明の開示】
【発明が解決しようとする課題】
【０００９】
ところが、上記自動販売機では、支持梁８００を商品収容庫の各室２５０の側壁２５０ａ，２５０ｂの間に組み付ける場合には、次のような問題があった。商品収容庫を構成する左右の側壁の前端部には、気密性向上等の観点からシール部材としての化粧枠が設けられているのが一般的である。つまり、商品収容庫の各室２５０のうち、一方の側壁の前端部に化粧枠が設けられているものがある。化粧枠は、弾性材料から形成されるものであり、室２５０の内部に向けて膨らむような形態を成している。そのため、そのような室２５０の側壁間に支持梁８００を組み付ける場合には、支持梁８００の係合片８３０を構成する後延部８７０及び上延部８８０を係止部材９００の係止孔に前方から挿通させることになるが、室２５０の内部に膨らむような形態を成している化粧枠が邪魔になり、係合片８３０の後延部８７０及び上延部８８０を係止孔に向けて容易に挿通させることが困難になり、結果として、支持梁８００の組み付け作業が煩わしいものであった。
【００１０】
本発明は、上記実情に鑑みて、支持梁の組み付け作業を簡単に行うことができる自動販売機を提供することを目的とする。
【課題を解決するための手段】
【００１１】
上記目的を達成するために、本発明の請求項１に係る自動販売機は、前面が開口した自動販売機本体の内部に設けられ、一方の側壁の前端部に化粧枠が配設された商品収容室と、商品収容室の内部に架設された商品収納ラックと、商品収容室の側壁間に架け渡された態様で組み付けられ、前記商品収納ラックを支持するための支持梁とを備えた自動販売機において、前記支持梁を前記化粧枠が配設された一方の側壁に差し込んだ状態で組み付けるようにしたことを特徴とする。
【００１２】
また、本発明の請求項２に係る自動販売機は、上記請求項１において、前記支持梁は、商品収納ラックの下端部前面に対向し、該下端部前面に締結するための基部と、前記基部の一側端に連続して形成され、前記化粧枠が配設された一方の側壁に差し込むための差込片とを備えたことを特徴とする。
【００１３】
また、本発明の請求項３に係る自動販売機は、前記支持梁は、上記請求項１又は上記請求項２において、前記商品収容室の他方の側壁に配設された係止部材と係合する係合片を備えたことを特徴とする。
【発明の効果】
【００１４】
本発明の自動販売機によれば、支持梁を化粧枠が配設された一方の側壁に差し込んだ状態で組み付けるようにしたので、商品収容室の内部に膨らむような形態を成している化粧枠の影響を受けずに支持梁を容易に組み付けることができる。つまり、支持梁の組み付け作業を簡単に行うことができるという効果を奏する。
【発明を実施するための最良の形態】
【００１５】
以下に添付図面を参照して、本発明に係る自動販売機の好適な実施の形態について詳細に説明する。
【００１６】
図１は、本発明の実施の形態における自動販売機を概念的に示したものである。ここで例示する自動販売機は、缶入り飲料やペットボトル入り飲料等の商品を冷却、若しくは加熱した状態で販売するもので、自動販売機本体１０を備えている。
【００１７】
自動販売機本体１０は、図２に示すように、複数の金属板を適宜組み合わせることによって構成したもので、前面が開口した箱状に構成してある。より具体的には、上壁１１、一対の側壁１２、底壁１３及び背壁１４を接合することによって箱状の自動販売機本体１０を構成するようにしている。一対の側壁１２は、それぞれ底壁１３よりも下方に延在しており、互いの間に台座壁１５を接合してある。
【００１８】
自動販売機本体１０には、その内部に断熱構造の商品収容庫２０が設けてある。本実施の形態では、図２に示すように、上壁１１、一対の側壁１２、底壁１３及び背壁１４の内壁面にそれぞれ予め板状に成形した断熱ボード２１を配設することにより、これら断熱ボード２１によって囲まれる空間に商品収容庫２０を構成するようにしている。断熱ボード２１は、図には明示していないが、発泡ウレタン等の断熱材によって成形した板状部材の表裏両面にそれぞれ面材として樹脂フィルムやクラフト紙を貼着したものである。また、商品収容庫２０を構成する枠体、特に商品収容庫２０の一対の側壁２０ａ，２０ｂを形成する断熱ボード２１の前端部には、気密性向上等を図るためにシール部材としての化粧枠Ｋ（図１１参照）が配設してある。化粧枠Ｋは、例えばゴム等の弾性材料から形成したものである。
【００１９】
この商品収容庫２０の内部には、図３〜図５に示すように、上端部に前方フレーム材２２及び後方フレーム材２３を介して複数のラック支持フレーム３０が左右方向に沿って並設してある。
【００２０】
ラック支持フレーム３０は、後述する商品収納ラック４０を保持するためのもので、それぞれが一対の縦フレーム材３１の間に複数の横フレーム材３２を架設することによって予め格子状に構成してある。
【００２１】
縦フレーム材３１は、図５に示すように、長尺平板状の縦材水平部３１ａと、縦材水平部３１ａの一端縁部から直角に屈曲した長尺平板状の縦材垂下部３１ｂとを有したもので、横断面がＬ字状を成している。縦フレーム材３１における縦材水平部３１ａの前端部には、それぞれネジ孔３１ｃが設けてある。各ラック支持フレーム３０の縦フレーム材３１は、互いに縦材水平部３１ａの他端縁を対向させる態様で相互に平行に配設してある。
【００２２】
それぞれの縦フレーム材３１の後端部には、規制手段として載置部３１ｄ及び係合部３１ｅが設けてある。載置部３１ｄは、図６の（ａ）に示すように、縦材垂下部３１ｂの下縁よりも上方となる位置に設けた下方に向く下面である。係合部３１ｅは、載置部３１ｄよりも後方側に位置する部位から下方に向けて突設した舌片状部分である。これら載置部３１ｄ及び係合部３１ｅは、いずれも縦フレーム材３１の縦材垂下部３１ｂと同一の板厚に構成してある。
【００２３】
横フレーム材３２は、長尺平板状の横材水平部３２ａと、横材水平部３２ａの一端縁部から直角に屈曲した長尺平板状の横材垂下部３２ｂと、横材垂下部３２ｂの延在縁部から横材水平部３２ａに対して平行に延在した後に該横材水平部３２ａに向けて直角に屈曲した係止部３２ｃとを有したもので、横材水平部３２ａの各端部をそれぞれ縦フレーム材３１における縦材水平部３１ａの上面に接合させ、互いに平行となる態様で一対の縦フレーム材３１に接合してある。
【００２４】
尚、本実施の形態では、互いに左右幅の異なる３種類のラック支持フレーム３０を備えるものを例示している。これら３種類のラック支持フレーム３０は、横フレーム材３２の長さのみが異なるもので、個々の詳細構成は互いに同一である。
【００２５】
ラック支持フレーム３０を保持する前方フレーム材２２及び後方フレーム材２３は、金属によって成形した長尺部材であり、それぞれ複屈曲した横断面形状を成している。具体的には、長尺平板状を成す基部２２ａ，２３ａと、基部２２ａ，２３ａの両側縁部からそれぞれ同一方向に向けて直角に屈曲した長尺平板状を成す一対の側部２２ｂ，２３ｂと、各側部２２ｂ，２３ｂの延在縁部から互いに離隔する方向に向けて直角に屈曲した長尺平板状を成す一対のフランジ部２２ｃ，２３ｃとを有し、横断面がいわゆるハット形状と称される前方フレーム材２２及び後方フレーム材２３を構成してある。
【００２６】
前方フレーム材２２は、フランジ部２２ｃを介して上壁１１の前縁部下面に接合してあり、該上壁１１の下面から下方に向けて突出するとともに、左右方向に沿って延在している。後方フレーム材２３は、フランジ部２３ｃを介して背壁１４の上縁部前面に接合してあり、該背壁１４の前面から前方に向けて突出するとともに、左右方向に沿って延在している。前方フレーム材２２の後方側に位置する側部２２ｂと後方フレーム材２３の基部２３ａとの間には、上述したラック支持フレーム３０の縦フレーム材３１よりも短い長さが確保してある。
【００２７】
尚、前方フレーム材２２及び後方フレーム材２３を自動販売機本体１０に接合する方法としては、例えば溶接やネジ止めを適用すれば良い。これらの接合方法は、いずれか一方を適用しても良いし、両者を併用するようにしても良い。
【００２８】
これら前方フレーム材２２及び後方フレーム材２３には、互いに対応する部位にスリット２２ｄ，２３ｄが設けてある。
【００２９】
前方フレーム材２２に設けたスリット（以下、単に前方スリット２２ｄともいう）は、図７に示すように、後方側に位置する側部２２ｂに設けた矩形開口部２２ｄ１と、該水平挿入部に連続する態様で基部２２ａに設けた溝状部２２ｄ２とを有するもので、３つのラック支持フレーム３０を並設した場合に、それぞれの縦フレーム材３１に対応する位置に形成してある。前方スリット２２ｄの矩形開口部２２ｄ１は、縦フレーム材３１の縦材水平部３１ａを挿入することのできる大きさを有している。前方スリット２２ｄの溝状部２２ｄ２は、縦フレーム材３１の縦材水平部３１ａを矩形開口部２２ｄ１に挿入した際に縦材垂下部３１ｂを挿入することのできる大きさ及び位置に前後方向に沿って設けてある。この溝状部２２ｄ２は、図６の（ａ）に示すように、縦フレーム材３１の縦材垂下部３１ｂを前端部まで挿入した場合に、縦フレーム材３１の後端部を後方フレーム材２３から離隔させるだけの長さを有している。
【００３０】
後方フレーム材２３に設けたスリット（以下、単に後方スリット２３ｄともいう）は、図８に示すように、基部２３ａと上方側に位置する側部２３ｂとに亘る部位に溝状に設けたもので、縦フレーム材３１の縦材垂下部３１ｂを挿入することのできる大きさに形成してある。
【００３１】
また、図７に示すように、前方フレーム材２２の基部２２ａには、前方スリット２２ｄにおける矩形開口部２２ｄ１の前方となる位置にそれぞれネジ挿通孔２２ｅが設けてある一方、後方フレーム材２３のフランジ部２３ｃには、図３に示すように、ナット部材２３ｅが設けてある。ネジ挿通孔２２ｅは、ラック支持フレーム３０の縦フレーム材３１を後方フレーム材２３との間に掛け渡した際に、該縦フレーム材３１のネジ孔３１ｃに対応する部位に設けたものである。ナット部材２３ｅは、自動販売機を設置する際に、転倒防止用ボルトを螺合するためのもので、後方フレーム材２３の両端部に溶着してある。
【００３２】
上述した前方フレーム材２２及び後方フレーム材２３との間にラック支持フレーム３０を保持させる場合には、図６の（ａ）に示すように、まず、各縦フレーム材３１の前端部を前方フレーム材２２の前方スリット２２ｄに挿入し、縦フレーム材３１の後端部を後方フレーム材２３から離隔した位置に配置させる。
【００３３】
この状態から、図６の（ｂ）に示すように、縦フレーム材３１の後端部に設けた係合部３１ｅを後方フレーム材２３の後方スリット２３ｄに挿入し、その後、図６の（ｃ）に示すように、係合部３１ｅを後方フレーム材２３の内部に位置させるとともに、載置部３１ｄを介して縦フレーム材３１の後端部を後方フレーム材２３に載置させる。
【００３４】
図６の（ｃ）に示す状態においては、縦フレーム材３１の後端部を後方フレーム材２３の後方スリット２３ｄから脱落する方向へ移動させようとした場合、当該縦フレーム材３１の係合部３１ｅが後方フレーム材２３の基部２３ａに当接係合することによってその移動が阻止されることになる。一方、縦フレーム材３１の前端部を前方フレーム材２２の前方スリット２２ｄから脱落する方向へ移動させようとした場合には、縦フレーム材３１の縦材垂下部３１ｂが後方フレーム材２３の基部２３ａに当接することによってその移動が阻止されることになる。従って、図６の（ｃ）に示す状態においては、ラック支持フレーム３０から手を離し、かつ振動や衝撃が加えられた場合にも、ラック支持フレーム３０が不用意に脱落する虞れはない。
【００３５】
最後に、前方フレーム材２２のネジ挿通孔２２ｅを通じて縦フレーム材３１のネジ孔３１ｃに固定ネジ２４を螺合させれば、前方フレーム材２２及び縦フレーム材３１の互いに重なり合う重合部分が相互に固定され、ラック支持フレーム３０を自動販売機本体１０における上壁１１の下面から離隔する態様で商品収容庫２０の内部に取り付けることが可能となる。
【００３６】
これらの間、上記自動販売機によれば、縦フレーム材３１と横フレーム材３２とを予め格子状に構成してあるため、一度の操作によって一対の縦フレーム材３１を前方フレーム材２２と後方フレーム材２３との間に架設することが可能となる。更に、上述したように、縦フレーム材３１の両端部をそれぞれ前方フレーム材２２の前方スリット２２ｄ及び後方フレーム材２３の後方スリット２３ｄに挿入載置させれば、不用意な脱落を招来することなく、ラック支持フレーム３０を仮に組み付けることが可能となる。これらの結果、ラック支持フレーム３０の取付作業をきわめて容易に行うことができるようになる。
【００３７】
このようにして商品収容庫２０の内部に配設されたラック支持フレーム３０には、図９に示すように、隣接するラック支持フレーム３０の相互間に断熱仕切板５０が配設してある。つまり、隣接するラック支持フレーム３０の間には、縦フレーム材３１の縦材垂下部３１ｂが対向して配置されることになり、これら縦材垂下部３１ｂの相互間に断熱仕切板５０の上端部が挟装保持されることになる。断熱仕切板５０は、商品収容庫２０の内部に複数の室（商品収容室）２５（２５ａ〜２５ｃ）を画成するためのもので、断熱ボードの適宜個所に金属製の補強金具を取り付けることによって構成してある。図には明示していないが、本実施の形態では、断熱ボードの下方部、上縁部にそれぞれ上縁補強金具を取り付けた２枚の断熱仕切板５０を配設することによって商品収容庫２０の内部に３つの独立した室２５を画成するようにしている。これら３つの室２５のうち、左右の室（以下、それぞれ左室２５ａ及び右室２５ｃともいう）は、それぞれ一方の側壁が商品収容庫２０の側壁２０ａ，２０ｂと一致しているとともに、他方の側壁が断熱仕切板５０で形成されている。つまり、左室２５ａ及び右室２５ｃは、それぞれ一方の側壁の前端部に化粧枠Ｋが配設されている。また、中央の室（以下、中央室２５ｂともいう）の一対の側壁は、断熱仕切板５０で形成されている。
【００３８】
断熱仕切板５０によって画成されたそれぞれの室２５（左室２５ａ、中央室２５ｂ及び右室２５ｃ）には、商品収納ラック４０が配設してある。商品収納ラック４０は、図１０に示すように、一対の側板４１と、これら側板４１の間に上下方向に延在する蛇行状の商品収納域４３を画成する湾曲形状の案内部材４２と、商品収納域４３に連ねた商品ローディング用のトップトレイ４４と、商品収納域４３の下端に配設したベンド機構（図示せず）と、ベンド機構に対向する通路規制板４５とを備えて構成してある。このような商品収納ラック４０は、商品収納域４３に商品を収納する一方、商品払出指令が与えられた場合に対応する商品の払い出しを行う。本実施の形態では、それぞれの室２５に複数の商品収納域４３を有した商品収納ラック４０を前後に配設するようにしている。
【００３９】
それぞれの商品収納ラック４０は、側板４１の上端部に設けた取付金具４６をラック支持フレーム３０の横フレーム材３２に係止させ、更にこれら取付金具４６及びラック支持フレーム３０の横フレーム材３２をネジ４７によって互いに螺着することにより、ラック支持フレーム３０に吊下保持させてある。
【００４０】
また、図１１に示すように、商品収納ラック４０の下端部前面には、固定金具４９が取り付けてある。この固定金具４９の前面には、支持梁８０が商品収容庫２０の左室２５ａの側壁の間に架け渡された状態で組み付けてある。このことについてより詳細に説明すると次のようになる。尚、以下においては、商品収容庫２０の各室２５を代表して、左室２５ａに組み付けられる支持梁８０について説明する。
【００４１】
支持梁８０は、固定金具４９に対向する基部８１と、該基部８１の左側端（一側端）に連続して形成された差込片８２と、該基部８１の右側端（他側端）に連続して形成された係合片８３とを備えて構成してある。
【００４２】
差込片８２は、略Ｌ字状を成す板状部材を屈曲加工して形成したものであり、左方に向けて突出する突出部８４を有している。一方、左室２５ａの左側壁は、上述したように、商品収容庫２０の左側の側壁２０ｂ（断熱ボード２１）と一致し、その前端部に化粧枠Ｋが配設してある。この左側壁（２０ｂ）の所定部位には差込孔８５が形成してある。差込孔８５は、差込片８２の突出部８４を差し込むための孔部である。
【００４３】
係合片８３は、基部８１の右側端から下方に延設された下延部８６と、この下延部８６の先端から後方に延設された後延部８７と、この後延部８７の先端から上方に延設された上延部８８とが連続して形成されて構成してある。一方、左室２５ａの右側壁は、上述したように、断熱仕切板５０により構成されたものであり、その所定部位に係止部材９０が配設してある。係止部材９０は、右側壁の内表面から突出した態様で前後方向に貫通する係止孔９１を有している。ここで、支持梁８０の係合片８３と、係止部材９０の係止孔９１との関係について述べると、図１２に示すように、係合片８３の下延部８６の先端部分から上延部８８の先端部分までの直線距離Ｌは、係止部材９０の係止孔９１の開口部の縦径Ｒよりも大きくしてある。また、係合片８３の上延部８８の長さは、係止孔９１の開口部の縦径Ｒよりも小さくしてある。このような関係が成り立つことにより、係合片８３の後延部８７及び上延部８８を、図１３に示すように、係止部材９０の係止孔９１に前方から挿通させ、その状態を維持して支持梁８０を上方に移動させる。このような状態で支持梁８０がフリーな状態になって該支持梁８０が前方側の下方に向けて揺動した場合でも、上記直線距離Ｌが上記縦径Ｒよりも大きいので、図１４に示すように、該支持梁８０の後延部８７が係止孔９１の前方側の開口縁下部に当接し、かつ上延部８８が該係止孔９１の後方側の開口縁上部に当接することにより、両者は係合して支持梁８０が落下する虞れはない。
【００４４】
上記差込片８２の突出部８４を差込孔８５に差し込みながら、上記係合片８３の後延部８７及び上延部８８を係止孔９１に挿通させ、そして、基部８１を商品収納ラック４０の固定金具４９に締結ネジＳにより締結させることにより、図１５に示すように、支持梁８０は、左室２５ａの側壁間に組み付けられる。これにより、商品収納ラック４０は、上部にて吊り下げ支持されるとともに、下部にて左右、前後の振れ止めがなされた状態で、商品収容庫２０の内部に架設される。
【００４５】
以上においては、左室２５ａについて説明したが、右室２５ｃでは、図には明示していないが、右側壁が商品収容庫２０の右側の側壁２０ａ（断熱ボード２１）と一致し、その前端部に化粧枠が配設してあるとともに、所定部位に差込孔が形成してある。右室２５ｃの左側壁は、断熱仕切板５０により構成されたものであり、その所定部位に係止部材が配設してある。このような右室２５ｃの側壁間に組み付けられる支持梁は、左室２５ａの側壁間に組み付けられる支持梁８０と左右が反対となり、前端部の右側端に差込片が連続して形成され、左側端に係合片が連続して形成されている。また、中央室２５ｂでは、両側壁が断熱仕切板５０によって構成されており、この両側壁間に組み付けられる支持梁は、従来例で説明したような前端部の両側端に係合片が形成されたものである。かかる支持梁についての説明は省略する。
【００４６】
図１中の符号４８は、商品収納ラック４０から払い出された商品を案内するべく室２５の後方から前方に向けて低く傾斜するように配設した商品シュータである。また、図には明示していないが、各室２５の内部において商品シュータ４８より下方となる領域には、商品収納ラック４０に収納した商品を所望の温度に維持するための冷却ユニットやヒータが設けてある。
【００４７】
一方、上記自動販売機には、図１に示すように、外扉６０及び内扉７０が設けてある。外扉６０は、自動販売機本体１０の前面開口を覆うためのもので、外扉６０の一側縁部に開閉可能に配設してある。図には明示していないが、この外扉６０の前面には、商品を販売する際に必要となるディスプレイウィンドウ、商品選択押ボタン、紙幣挿通口、硬貨投入口、返却レバー、金額表示器、硬貨返却口及び商品取出口６１が設けてある。
【００４８】
内扉７０は、外扉６０の上部内面に設けた断熱体６２とともに商品収容庫２０の前面を覆うためのもので、外扉６０よりも内方となる位置において自動販売機本体１０の一側縁部に開閉可能に配設してある。この内扉７０は、商品収容庫２０の各室２５に対応した下端部に商品搬出口扉７１を備えた商品搬出口７２を備えており、商品収納ラック４０から商品が商品シュータ４８に払い出された場合に商品搬出口７２を通じて商品を外部に搬出することが可能である。
【００４９】
以上説明したような自動販売機によれば、一方の側壁の前端部に化粧枠Ｋが配設された室２５（左室２５ａ及び右室２５ｃ）の側壁間に、支持梁８０の差込片８２を化粧枠Ｋが配設された側壁の差込孔８５に差し込む一方、該支持梁８０の係合片８３を他方の側壁に配設された係止部材９０と係合させることにより、支持梁８０を組み付けるようにしているので、室２５の内部に膨らむような形態を成している化粧枠Ｋの影響を受けずに支持梁８０を容易に組み付けることができる。つまり、支持梁８０の組み付け作業を簡単に行うことができる。また、化粧枠Ｋが配設された側壁には係止部材９０を設ける必要が無いので、部品点数の削減が可能になり、自動販売機が量産されることを考慮するとかかる部品点数の削減により生産コストの低減化を図ることが可能になる。
【００５０】
また、上記自動販売機によれば、自動販売機本体１０の内壁面に前方フレーム材２２及び後方フレーム材２３を突設し、これら前方フレーム材２２及び後方フレーム材２３を介して自動販売機本体１０の上壁１１から離隔する態様でラック支持フレーム３０を配設しているため、内箱を要することなく断熱構造の商品収容庫２０を構成することができるとともに、商品収納ラック４０を保持することができる。また、商品収納ラック４０を保持するラック支持フレーム３０は、断熱仕切板５０によって仕切られた室２５ごとに分割構成されたものであるため、これらが熱の移動経路となることもない。従って、例えば商品収容庫２０の内部において商品を加熱している室２５と、商品を冷却している室２５との間での熱の授受を可及的に抑制することができ、消費電力を著しく低減することが可能となる。
【産業上の利用可能性】
【００５１】
以上のように、本発明に係る自動販売機は、例えば缶入り飲料、瓶入り飲料、紙パック入り飲料及びペットボトル入り飲料等の各種商品を冷却、若しくは加温した状態で販売するのに有用である。
【図面の簡単な説明】
【００５２】
【図１】本発明の実施の形態における自動販売機を概念的に示す斜視図である。
【図２】図１に示した自動販売機の外扉及び商品収容庫の構成を示す概念図である。
【図３】図１に示した自動販売機の要部断面側面図である。
【図４】図１に示した自動販売機に適用されるラック支持フレームの取付構造を示す斜視図である。
【図５】図１に示した自動販売機に適用されるラック支持フレームを上方側から見た斜視図である。
【図６】図１に示した自動販売機においてラック支持フレームの取付手順を示す概念図である。
【図７】図１に示した自動販売機においてラック支持フレームの前端部と前方フレーム材との接続状態を示す拡大斜視図である。
【図８】図１に示した自動販売機においてラック支持フレームの後端部と後方フレーム材との接続状態を示す拡大斜視図である。
【図９】図１に示した自動販売機に適用されるラック支持フレームを下方側から見た斜視図である。
【図１０】図３に示した商品収納ラックを示す斜視図である。
【図１１】図１０に示した商品収納ラックの要部を示す分解斜視図である。
【図１２】図１１に示した支持梁及び係止部材を示す説明図である。
【図１３】支持梁と係止部材との係合について示す説明図である。
【図１４】支持梁と係止部材との係合について示す説明図である。
【図１５】支持梁を組み付けた状態を示す説明図である。
【図１６】従来の自動販売機を構成する商品収納ラックを示す斜視図である。
【図１７】図１６に示した商品収納ラックの要部を示す分解斜視図である。
【符号の説明】
【００５３】
１０      自動販売機本体
２０      商品収容庫
２０ａ，２０ｂ      側壁
２１      断熱ボード
２２      前方フレーム材
２３      後方フレーム材
３０      ラック支持フレーム
３１      縦フレーム材
３２      横フレーム材
４０      商品収納ラック
５０      断熱仕切板
６０      外扉
７０      内扉
８０      支持梁
８１      基部
８２      差込片
８３      係合片
８４      突出部
８５      差込孔
８６      下延部
８７      後延部
８８      上延部
９０      係止部材
９１      係止孔
Ｋ      化粧枠
【図１】
2006350857.tif 000003
【図２】
2006350857.tif 000004
【図３】
2006350857.tif 000005
【図４】
2006350857.tif 000006
【図５】
2006350857.tif 000007
【図６】
2006350857.tif 000008
【図７】
2006350857.tif 000009
【図８】
2006350857.tif 000010
【図９】
2006350857.tif 000011
【図１０】
2006350857.tif 000012
【図１１】
2006350857.tif 000013
【図１２】
2006350857.tif 000014
【図１３】
2006350857.tif 000015
【図１４】
2006350857.tif 000016
【図１５】
2006350857.tif 000017
【図１６】
2006350857.tif 000018
【図１７】
2006350857.tif 000019